【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
（Ａ）（Ａ−１）共役ジエン系重合体の重合活性末端に、一般式（Ｉ）
【化１】
2008231416.tif 000001
［式中、Ｒ1及びＲ2は、それぞれ独立に炭素数１〜１８の一価の炭化水素基、Ａ1は炭素数１〜２０の二価の炭化水素基、Ｒ3及びＲ4は、それぞれ独立に水素原子、又は無置換若しくは置換アミノ基及び／又はエーテル基を有していてもよい炭素数１〜１８の一価の炭化水素基、ｎは１〜３の整数を示し、Ｒ1Ｏが複数ある場合、各Ｒ1Ｏは互いに同一でも異なっていてもよく、Ｒ2が複数ある場合、各Ｒ2は互いに同一でも異なっていてもよい。また、Ｒ3及びＲ4は互いに結合して環構造を形成していてもよい。］で表されるイミノ基含有ヒドロカルビルオキシシラン化合物を反応させてなる変性共役ジエン系重合体１０〜９０質量％と、（Ａ−２）天然ゴム及び／又はジエン系合成ゴム９０〜１０質量％とからなるゴム成分と、その１００質量部に対し、（Ｂ）無機充填材５〜９５質量％を含有する充填材３０〜１００質量部を含み、かつ、（Ｃ）前記無機充填剤と結合可能な元素もしくは官能基、及び保護されたメルカプト基を少なくとも含む化合物からなるシランカップリング剤を、前記（Ｂ）成分中の無機充填材に対して２〜２５質量％の割合で含むことを特徴とするゴム組成物。
【請求項２】
前記（Ｃ）成分の無機充填材と結合することのできる官能基がアルコキシシラン基である請求項１に記載のゴム組成物。
【請求項３】
前記（Ｃ）成分が一般式（II）
【化２】
2008231416.tif 000002
［式中、Ｒ5は−Ｃｌ、−Ｂｒ、Ｒ10Ｏ−、Ｒ10Ｃ(＝Ｏ)Ｏ−、Ｒ10Ｒ11Ｃ＝ＮＯ−、Ｒ10Ｒ11Ｎ−又は−（ＯＳｉＲ10Ｒ11）m（ＯＳｉＲ9Ｒ10Ｒ11）（ただし、Ｒ10及びＲ11は、それぞれ独立に水素原子又は炭素数１〜１８の一価の炭化水素基である。）、Ｒ6はＲ5、水素原子又は炭素数１〜１８の一価の炭化水素基、Ｒ7はＲ5、Ｒ6又は−［Ｏ（Ｒ12Ｏ）a］0.5−基（ただし、Ｒ12は炭素数１〜１８のアルキレン基、ａは１〜４の整数である。）、Ｒ8は炭素数１〜１８の二価の炭化水素基、Ｒ9 は炭素数１〜１８の一価の炭化水素基を示し、ｘ、ｙ及びｚは、ｘ＋ｙ＋２ｚ＝３、０≦ｘ≦３、０≦ｙ≦２、０≦ｚ≦１の関係を満たす数である。］及び／又は一般式（III）
【化３】
2008231416.tif 000003
[式中Ｒ13は炭素数１〜２０の直鎖もしくは、分岐、環状のアルキル基であり、Ｇはそれぞれ独立して炭素数１〜９のアルカンジイル基又はアルケンジイル基であり、Ｚaはそれぞれ独立して二つの珪素原子と結合することのできる基で、[−Ｏ−]0.5、[−Ｏ−Ｇ−]0.5又は[−Ｏ−Ｇ−Ｏ−] 0.5から選ばれる基であり、Ｚbはそれぞれ独立して二つの珪素原子と結合することのできる基で、 [−Ｏ−Ｇ−Ｏ−] 0.5で表される官能基であり、Ｚcはそれぞれ独立して−Ｃｌ、−Ｂｒ、−ＯＲ14、Ｒ14Ｃ(＝Ｏ)Ｏ−、Ｒ14Ｒ15Ｃ＝ＮＯ−、Ｒ14Ｒ15Ｎ−，Ｒ14−，ＨＯ−Ｇ−Ｏ−で表される官能基であり、Ｒ，Ｇは上記表記と一致する。ｍ、ｎ、ｕ、ｖ、ｗはそれぞれ独立して１≦ｍ≦２０、０≦ｎ≦２０、０≦ｕ≦３、０≦ｖ≦２、０＜ｗ≦１であり、かつ（ｕ／２）＋ｖ＋２ｗ＝２又は３である。
A部が複数である場合、複数のＡ部におけるＺau、Ｚbv及びＺcwそれぞれにおいて、同一でも異なっていてもよく、Ｂが複数である場合、複数のＢ部におけるＺau、Ｚbv及びＺcwそれぞれにおいて、同一でも異なってもよい。]で表されるシランカップリング剤であることを特徴とする請求項１又は２に記載のゴム組成物。
【請求項４】
前記（Ｂ）無機充填材がシリカである請求項１〜３のいずれかに記載のゴム組成物。
【請求項５】
前記（Ｃ）成分が、化学式（IV）、
【化４】
2008231416.tif 000004
化学式（V）、及び
【化５】
2008231416.tif 000005
化学式（VI）
【化６】
2008231416.tif 000006
［式中Ｌはそれぞれ独立して炭素数１〜９のアルカンジイル基又はアルケンジイル基である。］で表される少なくとも１種のシランカップリング剤である請求項１、２又は４に記載のゴム組成物。
【請求項６】
（Ａ）ゴム成分１００質量部に対し、（Ｂ）充填材４０〜７０質量部を含む請求項１〜５のいずれかに記載のゴム組成物。
【請求項７】
（Ａ）ゴム成分が、（Ａ−１）変性共役ジエン系重合体３０〜７０質量％を含有する請求項１〜６のいずれかにに記載のゴム組成物。
【請求項８】
（Ｃ）成分を１〜３質量％を含む請求項１〜７のいずれかに記載のゴム組成物。
【請求項９】
（Ａ−１）変性共役ジエン系重合体が、変性芳香族ビニル−共役ジエン共重合体である請求項１〜８のいずれかに記載のゴム組成物。
【請求項１０】
請求項１〜９のいずれかに記載のゴム組成物を、トレッドに用いたことを特徴とする空気入りタイヤ。
【請求項１１】
乗用車、小型トラック及び小型バスに装着されるものである請求項１０に記載の空気入りタイヤ。
【請求項１２】
ＪＡＴＭＡ規格に基づくプライレーティングが６〜１０ＰＲである請求項１１に記載の空気入りタイヤ。
【手続補正２】
【補正対象書類名】明細書
【補正対象項目名】００１１
【補正方法】変更
【補正の内容】
【００１１】
[式中Ｒ13は炭素数１〜２０の直鎖もしくは、分岐、環状のアルキル基であり、Ｇはそれぞれ独立して炭素数１〜９のアルカンジイル基又はアルケンジイル基であり、Ｚaはそれぞれ独立して二つの珪素原子と結合することのできる基で、[−Ｏ−] 0.5、[−Ｏ−Ｇ−]0.5又は[−Ｏ−Ｇ−Ｏ−] 0.5から選ばれる基であり、Ｚbはそれぞれ独立して二つの珪素原子と結合することのできる基で、 [−Ｏ−Ｇ−Ｏ−] 0.5で表される官能基であり、Ｚcはそれぞれ独立して−Ｃｌ、−Ｂｒ、−ＯＲ14、Ｒ14Ｃ(＝Ｏ)Ｏ−、Ｒ14Ｒ15Ｃ＝ＮＯ−、Ｒ14Ｒ15Ｎ−，Ｒ14−，ＨＯ−Ｇ−Ｏ−で表される官能基であり、Ｒ，Ｇは上記表記と一致する。
ｍ、ｎ、ｕ、ｖ、ｗはそれぞれ独立して１≦ｍ≦２０、０≦ｎ≦２０、０≦ｕ≦３、０≦ｖ≦２、０＜ｗ≦１であり、かつ（ｕ／２）＋ｖ＋２ｗ＝２又は３である。
A部が複数である場合、複数のＡ部におけるＺau、Ｚbv及びＺcwそれぞれにおいて、同一でも異なっていてもよく、Ｂが複数である場合、複数のＢ部におけるＺau、Ｚbv及びＺcwそれぞれにおいて、同一でも異なってもよい。]で表されるシランカップリング剤であることを特徴とする上記［１］又は［２］のゴム組成物。
［４］  前記無機充填材がシリカである上記［１］〜［３］いずれかのゴム組成物、
［５］  前記（Ｃ）成分が、化学式（IV）、
【手続補正３】
【補正対象書類名】明細書
【補正対象項目名】００１７
【補正方法】変更
【補正の内容】
【００１７】
［式中Ｌはそれぞれ独立して炭素数１〜９のアルカンジイル基又はアルケンジイル基である。］で表される少なくとも１種のシランカップリング剤である上記［１］、［２］又は［４］のゴム組成物、
［６］  （Ａ）ゴム成分１００質量部に対し、（Ｂ）充填材４０〜７０質量部を含む上記［１］〜［５］いずれかのゴム組成物、
［７］  （Ａ）ゴム成分が、（Ａ−１）変性共役ジエン系重合体３０〜７０質量％を含有する上記［１］〜［６］いずれかのゴム組成物、
［８］  （Ｃ）成分を１〜３質量％を含む上記［１］〜［７］いずれかのゴム組成物、
［９］  （Ａ−１）変性共役ジエン系重合体が、変性芳香族ビニル−共役ジエン共重合体である上記［１］〜［８］いずれかのゴム組成物、
［１０］  上記［１］〜［９］いずれかのゴム組成物を、トレッドに用いたことを特徴とする空気入りタイヤ、
［１１］  乗用車、小型トラック及び小型バスに装着されるものである上記［１０］の空気入りタイヤ、及び
［１２］  ＪＡＴＭＡ規格に基づくプライレーティングが６〜１０ＰＲである上記［１１］の空気入りタイヤ、
を提供するものである。
【手続補正４】
【補正対象書類名】明細書
【補正対象項目名】００４７
【補正方法】変更
【補正の内容】
【００４７】
[式中Ｒ13は炭素数１〜２０の直鎖もしくは、分岐、環状のアルキル基であり、Ｇはそれぞれ独立して炭素数１〜９のアルカンジイル基又はアルケンジイル基であり、Ｚaはそれぞれ独立して二つの珪素原子と結合することのできる基で、 [−０−] 0.5、[−０−Ｇ−]0.5又は[−Ｏ−Ｇ−Ｏ−] 0.5から選ばれる基であり、Ｚbはそれぞれ独立して二つの珪素原子と結合することのできる基で、 [−Ｏ−Ｇ−Ｏ−] 0.5で表される官能基であり、Ｚcはそれぞれ独立して−Ｃｌ、−Ｂｒ、−ＯＲ14、Ｒ14Ｃ(＝Ｏ)Ｏ−、Ｒ14Ｒ15Ｃ＝ＮＯ−、Ｒ14Ｒ15Ｎ−，Ｒ14−，ＨＯ−Ｇ−Ｏ−で表される官能基であり、Ｒ，Ｇは上記表記と一致する。
ｍ、ｎ、ｕ、ｖ、ｗはそれぞれ独立して１≦ｍ≦２０、０≦ｎ≦２０、０≦ｕ≦３、０≦ｖ≦２、０＜ｗ≦１であり、かつ（ｕ／２）＋ｖ＋２ｗ＝２又は３である。
A部が複数である場合、複数のＡ部におけるＺau、Ｚbv及びＺcwそれぞれにおいて、同一でも異なっていてもよく、Ｂが複数である場合、複数のＢ部におけるＺau、Ｚbv及びＺcwそれぞれにおいて、同一でも異なってもよい。]で表されるシランカップリング剤が用いられる。
【手続補正５】
【補正対象書類名】明細書
【補正対象項目名】００４８
【補正方法】変更
【補正の内容】
【００４８】
上記（Ｃ）成分のシランカップリング剤としては、以下の化学式（IV）、